(57)【要約】【課題】パワーコンディショナの機器類を収める筐体の取り付けを容易にする。【解決手段】  パワーコンディショナの機器３４を収める筐体１を備え、筐体１の後方より該筐体を保持する取り付け板２を備え、筐体１には後方に向け電気的に接続を可能とする接続コネクタ６を設け、取り付け板２には接続コネクタ６と接続するコネクタ５ａと機器３４へ電気的に接続を要する電線７を固定し前記コネクタ５ａと電気的に接続されている接続端子５ｂとを設けたものである。【選択図】図２
2018073961.tif 000002
【特許請求の範囲】
【請求項１】
パワーコンディショナの機器を収める筐体を備え、
該筐体の後方より該筐体を保持する取り付け板を備え、
前記筐体には後方に向け電気的に接続を可能とする接続コネクタを設け、
前記取り付け板には前記接続コネクタと接続するコネクタと前記機器へ電気的に接続を要する電線を固定し前記コネクタと電気的に接続されている接続端子とを設けた事を特徴とするパワーコンディショナ用筐体。
【発明の詳細な説明】
【技術分野】
【０００１】
本発明は、パワーコンディショナ用筐体に関する。
【背景技術】
【０００２】
従来、パワーコンディショナ用筐体は、屋内又は屋外の壁面に対して壁掛け状態で設置した後に、パワーコンディショナの機器類を収める筐体を固定し、その後、筐体の配線接続部にパワーコンディショナの機器類へ設けてある配線基板部へ電力や信号線を接続する形態をとっている。
【先行技術文献】
【特許文献】
【０００３】
【特許文献１】特開２０１５−１０３６７６号公報
【発明の概要】
【発明が解決しようとする課題】
【０００４】
この形態は、パワーコンディショナのフロントカバーを開口した状態で結線作業を行うので、結線作業時に結線用の工具（たとえば、圧着端子用のかしめ工具や電力線の被覆を剥ぎ取る際の電工ナイフやペンチ、端子台のネジを締め付けるドライバー）を使用する。この作業時に、この工具で、電子部品および電子基板で構成されているパワーコンディショナの機器類を誤って傷つけたり破損したりする場合が考えられる。
【０００５】
また、パワーコンディショナの機器類へ接続する電力や信号線の配線経路は取り付け面の中で隠蔽配線されることが多く、取り付け面の開口部分から引き出した電力や信号線のある状態で、約２０ｋｇもあるパワーコンディショナの機器類を収める筐体を取り付け面から引き出した電力や信号線をよけながら取り付け板に引っ掛けるという困難な作業となる。
【０００６】
本発明は、上記に鑑みてなされたものであって、取り付け作業時の電子部品および電子基板を破損させることなど無く、また、パワーコンディショナの機器類を収める筐体の固定を容易にすることを目的とする。
【課題を解決するための手段】
【０００７】
本発明は、上記の課題を解決するためになされたものであり、パワーコンディショナの機器を収める筐体を備え、該筐体の後方より該筐体を保持する取り付け板を備え、前記筐体には後方に向け電気的に接続を可能とする接続コネクタを設け、前記取り付け板には前記接続コネクタと接続するコネクタと前記機器へ電気的に接続を要する電線を固定し前記コネクタと電気的に接続されている接続端子とを設けたものである。
【発明の効果】
【０００８】
本発明によれば、取り付け作業時の電子部品および電子基板を破損させることなど無く、またパワーコンディショナの機器類を収める筐体を壁面に容易に取り付けしやすい効果を奏する。
【図面の簡単な説明】
【０００９】
【図１】パワーコンディショナ用筐体を示す説明図である。
【図２】筐体と筐体を固定する取り付け板の説明図である。
【図３】筐体から扉体を取り外した状態の説明図である。
【図４】筐体の背面図である。
【図５】扉体の内側から見た説明図である。
【図６】取り付け板の説明図である。
【図７】取り付け板に電線を接続した説明図である。
【発明を実施するための形態】
【００１０】
以下に、本発明に係るパワーコンディショナ用筐体の実施の形態を図面に基づいて詳細に説明する。
【００１１】
図１は、パワーコンディショナ用筐体を示す説明図である。図２は、筐体と筐体を固定する取り付け板の説明図である。図３は、筐体から扉体を取り外した状態の説明図である。図４は、筐体の背面図である。図５は、扉体の内側から見た説明図である。図６は、取り付け板の説明図である。図７は、取り付け板に電線を接続した説明図である
１はパワーコンディショナ用の筐体、２は取り付け板で、取り付け板２を壁面等に固定し、固定した取り付け板２に筐体１を固定することで筐体１は壁面に固定される。
【００１２】
筐体1は、蓋体４と箱体３から成り、箱体３は、背板３ｄと天板３ｂと底板３ｃと側板３aから成り、両側の側板３ａと底板３ｃは一体にＵ字状に形成されている。３ｅは箱体３の開口部であり、背板３ｄと対向する部分である。また背板３ｄには開口部３ｆが設けられ、後述するパワーコンディショナの機器３４に後述する電線７と電気的に接続するための接続コネクタ６が後方を向いて設けられている。
【００１３】
パワーコンディショナの機器３４は、この箱体３内に格納される。
【００１４】
蓋体４は、図５に示すように鋼板などの金属性の材料や合成樹脂など材料を使用し箱状に形成し、箱体３の開口部３ｅを塞ぐものである。
【００１５】
筐体１の背板３ｄ側で保持する取り付け板２には電線（電力線および信号線）７を中継し筐体１内の機器３４へ接続するための端子接続台５を設けている。
【００１６】
端子接続台５は、電線７を電気的に接続する接続端子５ｂと機器３４に設けられている接続コネクタ６に前記電線７と電気的に接続するためのコネクタ５ａが設けられている。このコネクタ５ａは機器３４側の背板３ａ側に設けられた接続コネクタ６と接続自在な構造をし、取り付け板２に筐体１を固定した時にコネクタ５ａと接続コネクタ６とが自動的に係合し、電線７と機器３４とは接続端子５ｂとコネクタ５ａと接続コネクタ６とを介して電気的に接続される。
【００１７】
次に取り付けについて詳細に説明する。
【００１８】
取り付け板２を壁面に固定する。固定はネジなどを使用して固定される。
【００１９】
取り付け後に、取り付け板２の穴２ｄから電線７を端子接続台５側に通し、電線７の先端に端子８をかしめて接続端子５ｂにネジなどで固定する。
【００２０】
次に、取り付け板２の四辺に設けた切り起こした凸部２ｂ、２ｃが筐体１の位置決めとなり、凸部２ｂ、２ｃを筐体１の外側に来るように筐体１の背板３ｄ側を取り付け板２に固定することで筐体１は取り付け板２に保持される。固定時に取り付け板２側のコネクタ５ａと筐体１側の接続コネクタ６とが係合し、係合後は凸部２ｂ、２ｃで筐体１が保持されているのでコネクタ５ａと接続コネクタ６との接続部に応力がかかることはない。
【００２１】
筐体１を取り付け板２に固定後、筐体１と凸部２ｂ、２ｃとをネジなどで固定することで確実に筐体１を取り付け板２に固定する。
【００２２】
パワーコンディショナへ接続する電線（電力や信号線）７の接続時は、機器３４を搭載していない取り付け板２のみの状態で処理できるので、電子部品への損傷などの心配もなく軽いため、取り回しが良い。
【００２３】
また、筐体１の蓋体４を開ける必要なく取り付けが終了するので、作業により誤って機器３４を損傷する心配も無い。
【００２４】
本発明に係るパワーコンディショナ筐体は、取り付けのしやすさや確実性を向上させることに有用であり、特に、取り付けのしやすさの向上に適している。
【符号の説明】
【００２５】
１  筐体
２  取り付け板
３  箱体
４  蓋体
５  端子接続台
５ａ  コネクタ
５ｂ  接続端子
６  接続コネクタ
【図１】
2018073961.tif 000003
【図２】
2018073961.tif 000004
【図３】
2018073961.tif 000005
【図４】
2018073961.tif 000006
【図５】
2018073961.tif 000007
【図６】
2018073961.tif 000008
【図７】
2018073961.tif 000009